(57)【特許請求の範囲】
【請求項１】
化粧材の脱色領域に、指定された濃度、配合または噴霧量で脱色剤を噴霧する脱色手段と、
脱色することによって得ようとする化粧材の指定明度を入力する明度入力手段と、
前記脱色手段に使用する脱色剤を指定する脱色剤入力手段と、
化粧材の前記脱色領域における脱色前明度を測定する明度測定手段と、
種々の明度差分を脱色するために必要な脱色剤の濃度、配合または噴霧量を予め記憶すると共に、前記脱色手段で使用される種々の脱色剤毎に、脱色に使用する脱色剤の濃度、配合または噴霧量を補正するための脱色剤補正データを予め記憶した脱色情報記憶手段と、
前記明度入力手段に入力された指定明度と前記明度測定手段によって測定された脱色前明度とから、両者の明度差を算出し、その算出された明度差分を脱色するために必要な脱色剤の濃度、配合または噴霧量を前記脱色情報記憶手段から読み出すと共に、前記脱色剤入力手段に入力された脱色剤に対応した脱色剤補正データを前記脱色情報記憶手段から読み出し、この脱色剤補正データに基づいて、前記脱色情報記憶手段から読み出した脱色剤の濃度、配合または噴霧量を補正して前記脱色手段に出力する脱色制御手段とを備えた化粧材の脱色装置。
【請求項２】
化粧材の脱色領域に、指定された濃度、配合または噴霧量で脱色剤を噴霧する脱色手段と、
脱色することによって得ようとする化粧材の指定明度を入力する明度入力手段と、
脱色しようとする化粧材の材質を入力する材質入力手段と、
化粧材の前記脱色領域における脱色前明度を測定する明度測定手段と、
種々の明度差分を脱色するために必要な脱色剤の濃度、配合または噴霧量を予め記憶すると共に、化粧材の材質毎に、脱色に使用する脱色剤の濃度、配合または噴霧量を補正するための材質補正データを予め記憶した脱色情報記憶手段と、
前記明度入力手段に入力された指定明度と前記明度測定手段によって測定された脱色前明度とから、両者の明度差を算出し、その算出された明度差分を脱色するために必要な脱色剤の濃度、配合または噴霧量を前記脱色情報記憶手段から読み出すと共に、前記材質入力手段に入力された化粧材の材質に対応した材質補正データを前記脱色情報記憶手段から読み出し、この材質補正データに基づいて、前記脱色情報記憶手段から読み出した脱色剤の濃度、配合または噴霧量を補正して前記脱色手段に出力する脱色制御手段とを備えた化粧材の脱色装置。
【請求項３】
化粧材の脱色領域を複数の脱色単位領域に分割し、その脱色単位領域毎に、指定された濃度、配合または噴霧量で脱色剤を噴霧する脱色手段と、
脱色することによって得ようとする化粧材の指定明度を入力する明度入力手段と、
前記脱色手段に使用する脱色剤を指定する脱色剤入力手段と、
脱色前の化粧材の脱色領域を複数の測定単位領域に分割し、その測定単位領域毎に化粧材の脱色前明度を測定する明度測定手段と、
種々の明度差分を脱色するために必要な脱色剤の濃度、配合または噴霧量を予め記憶すると共に、前記脱色手段で使用される種々の脱色剤毎に、脱色に使用する脱色剤の濃度、配合または噴霧量を補正するための脱色剤補正データを予め記憶した脱色情報記憶手段と、
前記明度入力手段に入力された指定明度と前記明度測定手段によって測定された前記測定単位毎の脱色前明度とから、両者の明度差を前記脱色単位領域毎にそれぞれ算出し、その算出された明度差分を脱色するために必要な脱色剤の濃度、配合または噴霧量を、前記脱色情報記憶手段からそれぞれ読み出すと共に、前記脱色剤入力手段に入力された脱色剤に対応した脱色剤補正データを前記脱色情報記憶手段から読み出し、この脱色剤補正データに基づいて、前記脱色情報記憶手段から読み出した脱色剤の濃度、配合または噴霧量を補正して前記脱色単位領域毎に前記脱色手段に出力する脱色制御手段とを備えた化粧材の脱色装置。
【請求項４】
化粧材の脱色領域を複数の脱色単位領域に分割し、その脱色単位領域毎に、指定された濃度、配合または噴霧量で脱色剤を噴霧する脱色手段と、
脱色することによって得ようとする化粧材の指定明度を入力する明度入力手段と、
脱色しようとする化粧材の材質を入力する材質入力手段と、
脱色前の化粧材の脱色領域を複数の測定単位領域に分割し、その測定単位領域毎に化粧材の脱色前明度を測定する明度測定手段と、
種々の明度差分を脱色するために必要な脱色剤の濃度、配合または噴霧量を予め記憶すると共に、化粧材の材質毎に、脱色に使用する脱色剤の濃度、配合または噴霧量を補正するための材質補正データを予め記憶した脱色情報記憶手段と、
前記明度入力手段に入力された指定明度と前記明度測定手段によって測定された前記測定単位毎の脱色前明度とから、両者の明度差を前記脱色単位領域毎にそれぞれ算出し、その算出された明度差分を脱色するために必要な脱色剤の濃度、配合または噴霧量を、前記脱色情報記憶手段からそれぞれ読み出すと共に、前記材質入力手段に入力された化粧材の材質に対応した材質補正データを前記脱色情報記憶手段から読み出し、この材質補正データに基づいて、前記脱色情報記憶手段から読み出した脱色剤の濃度、配合または噴霧量を補正して前記脱色単位領域毎に前記脱色手段に出力する脱色制御手段とを備えた化粧材の脱色装置。
【発明の詳細な説明】
【０００１】
【発明の属する技術分野】
この発明は、化粧単板、化粧板等の化粧材の脱色方法及び脱色装置、特に、明度が異なる複数の化粧材または部分的に異なる明度を有する化粧材を、統一した所定の明度に脱色することのできる化粧材の脱色方法及び脱色装置に関する。
【０００２】
【従来の技術及び発明が解決しようとする課題】
化粧単板、化粧板等の化粧材の脱色は、所定の濃度に調整された脱色剤を、脱色領域の全面に均一に噴霧または塗布することにより行われるのが一般的である。
【０００３】
ところで、脱色前の化粧材は、使用される木材の種類、同一種類の木材が使用される場合でも使用される部位等によって、明度が常に一定ではなく、また、はぎ合わせ等によって製造される化粧材については、単一の化粧材であっても、部分的に明度が異なる場合も多い。
【０００４】
従って、上述した方法で化粧材の脱色を行うと、化粧材自体の明度が相互に異なる場合や、単一の化粧材において部分的に明度が異なる場合には、脱色前の化粧材の明度が脱色後の明度に影響を与えるため、脱色後の化粧材の明度が脱色しようとした目的の明度にならなかったり、複数の化粧材相互間で異なった明度に脱色されたり、単一の化粧材においても、部分的に明度が異なるように脱色されたりするといった状態が起こる。
【０００５】
このため、脱色後の明度むら（濃淡）が極端に大きい化粧材については、不良品となったり、濃色着色用の化粧材として使用せざるを得なくなり、明度むらの大きい化粧材の有効利用及び品質の安定化が図れないといった問題があった。
【０００６】
そこで、この発明の課題は、脱色前の明度が相互に異なる複数の化粧材または部分的に明度が異なる化粧材を、統一した所定の明度に脱色することのできる化粧材の脱色装置を提供することにある。
【０００７】
【課題を解決するための手段】
上記の課題を解決するため、請求項１にかかる発明は、化粧材の脱色領域に、指定された濃度、配合または噴霧量で脱色剤を噴霧する脱色手段と、脱色することによって得ようとする化粧材の指定明度を入力する明度入力手段と、前記脱色手段に使用する脱色剤を指定する脱色剤入力手段と、化粧材の前記脱色領域における脱色前明度を測定する明度測定手段と、種々の明度差分を脱色するために必要な脱色剤の濃度、配合または噴霧量を予め記憶すると共に、前記脱色手段で使用される種々の脱色剤毎に、脱色に使用する脱色剤の濃度、配合または噴霧量を補正するための脱色剤補正データを予め記憶した脱色情報記憶手段と、前記明度入力手段に入力された指定明度と前記明度測定手段によって測定された脱色前明度とから、両者の明度差を算出し、その算出された明度差分を脱色するために必要な脱色剤の濃度、配合または噴霧量を前記脱色情報記憶手段から読み出すと共に、前記脱色剤入力手段に入力された脱色剤に対応した脱色剤補正データを前記脱色情報記憶手段から読み出し、この脱色剤補正データに基づいて、前記脱色情報記憶手段から読み出した脱色剤の濃度、配合または噴霧量を補正して前記脱色手段に出力する脱色制御手段とを備えた化粧材の脱色装置を提供するものである。
【０００８】
また、上記の課題を解決するため、請求項２にかかる発明は、化粧材の脱色領域に、指定された濃度、配合または噴霧量で脱色剤を噴霧する脱色手段と、脱色することによって得ようとする化粧材の指定明度を入力する明度入力手段と、脱色しようとする化粧材の材質を入力する材質入力手段と、化粧材の前記脱色領域における脱色前明度を測定する明度測定手段と、種々の明度差分を脱色するために必要な脱色剤の濃度、配合または噴霧量を予め記憶すると共に、化粧材の材質毎に、脱色に使用する脱色剤の濃度、配合または噴霧量を補正するための材質補正データを予め記憶した脱色情報記憶手段と、前記明度入力手段に入力された指定明度と前記明度測定手段によって測定された脱色前明度とから、両者の明度差を算出し、その算出された明度差分を脱色するために必要な脱色剤の濃度、配合または噴霧量を前記脱色情報記憶手段から読み出すと共に、前記材質入力手段に入力された化粧材の材質に対応した材質補正データを前記脱色情報記憶手段から読み出し、この材質補正データに基づいて、前記脱色情報記憶手段から読み出した脱色剤の濃度、配合または噴霧量を補正して前記脱色手段に出力する脱色制御手段とを備えた化粧材の脱色装置を提供するものである。
【０００９】
また、上記の課題を解決するため、請求項３にかかる発明は、化粧材の脱色領域を複数の脱色単位領域に分割し、その脱色単位領域毎に、指定された濃度、配合または噴霧量で脱色剤を噴霧する脱色手段と、脱色することによって得ようとする化粧材の指定明度を入力する明度入力手段と、前記脱色手段に使用する脱色剤を指定する脱色剤入力手段と、脱色前の化粧材の脱色領域を複数の測定単位領域に分割し、その測定単位領域毎に化粧材の脱色前明度を測定する明度測定手段と、種々の明度差分を脱色するために必要な脱色剤の濃度、配合または噴霧量を予め記憶すると共に、前記脱色手段で使用される種々の脱色剤毎に、脱色に使用する脱色剤の濃度、配合または噴霧量を補正するための脱色剤補正データを予め記憶した脱色情報記憶手段と、前記明度入力手段に入力された指定明度と前記明度測定手段によって測定された前記測定単位毎の脱色前明度とから、両者の明度差を前記脱色単位領域毎にそれぞれ算出し、その算出された明度差分を脱色するために必要な脱色剤の濃度、配合または噴霧量を、前記脱色情報記憶手段からそれぞれ読み出すと共に、前記脱色剤入力手段に入力された脱色剤に対応した脱色剤補正データを前記脱色情報記憶手段から読み出し、この脱色剤補正データに基づいて、前記脱色情報記憶手段から読み出した脱色剤の濃度、配合または噴霧量を補正して前記脱色単位領域毎に前記脱色手段に出力する脱色制御手段とを備えた化粧材の脱色装置を提供するものである。
【００１０】
また、上記の課題を解決するため、請求項４にかかる発明は、化粧材の脱色領域を複数の脱色単位領域に分割し、その脱色単位領域毎に、指定された濃度、配合または噴霧量で脱色剤を噴霧する脱色手段と、脱色することによって得ようとする化粧材の指定明度を入力する明度入力手段と、脱色しようとする化粧材の材質を入力する材質入力手段と、脱色前の化粧材の脱色領域を複数の測定単位領域に分割し、その測定単位領域毎に化粧材の脱色前明度を測定する明度測定手段と、種々の明度差分を脱色するために必要な脱色剤の濃度、配合または噴霧量を予め記憶すると共に、化粧材の材質毎に、脱色に使用する脱色剤の濃度、配合または噴霧量を補正するための材質補正データを予め記憶した脱色情報記憶手段と、前記明度入力手段に入力された指定明度と前記明度測定手段によって測定された前記測定単位毎の脱色前明度とから、両者の明度差を前記脱色単位領域毎にそれぞれ算出し、その算出された明度差分を脱色するために必要な脱色剤の濃度、配合または噴霧量を、前記脱色情報記憶手段からそれぞれ読み出すと共に、前記材質入力手段に入力された化粧材の材質に対応した材質補正データを前記脱色情報記憶手段から読み出し、この材質補正データに基づいて、前記脱色情報記憶手段から読み出した脱色剤の濃度、配合または噴霧量を補正して前記脱色単位領域毎に前記脱色手段に出力する脱色制御手段とを備えた化粧材の脱色装置を提供するものである。
【００１４】
【発明の実施の形態】
以下、実施の形態について図面を参照して説明する。図１に示すように、この化粧材の脱色装置１は、基材の表面に化粧単板が貼り付けられた化粧板Ｐの表面を脱色するための装置であり、脱色しようとする化粧材Ｐの脱色領域を複数の脱色単位領域に分割し、その脱色単位領域毎に、指定された濃度及び噴霧量で脱色剤を噴霧する脱色手段１０と、脱色することによって得ようとする化粧材Ｐの指定明度を入力する明度入力手段２０と、前記脱色手段１０に使用する脱色剤を指定する脱色剤入力手段３０と、脱色しようとする化粧材Ｐの材質を入力する材質入力手段４０と、種々の明度差分を脱色するために必要な脱色剤の濃度及び噴霧量を予め記憶した脱色情報記憶手段５０と、脱色前の化粧材Ｐの脱色領域を複数の測定単位領域に分割し、その測定単位領域毎に脱色前の化粧材Ｐが有する明度を測定する明度測定手段６０と、前記明度入力手段２０、脱色剤入力手段３０及び材質入力手段４０によって入力された種々の入力情報に基づいて実際に脱色に使用する脱色剤の濃度及び噴霧量を算出し、これを前記脱色手段１０に出力する脱色制御手段７０とから構成されている。なお、図１において、Ｃは化粧材Ｐを脱色位置に搬送するためのベルトコンベアである。
【００１５】
前記脱色手段１０は、使用する脱色剤を所定の濃度、配合及び噴霧量に調整する脱色剤調整手段を備えており、前記脱色単位領域毎に指定された濃度、配合及び噴霧量で脱色剤を化粧材Ｐの表面に噴霧することができるようになっている。
【００１６】
なお、前記脱色剤の配合に関しては、複数種類の脱色剤成分を噴霧する直前に指定された比率に配合したり、予め配合比率を変えたものを数種類準備しておき、それらを使い分けたりする方式を採用することができる。
【００１７】
また、この脱色手段１０は、上述したように、脱色領域を複数の脱色単位領域に分割し、その脱色単位領域毎に、指定された濃度及び噴霧量で脱色剤を噴霧することができるものであれば特に限定されない。
【００１８】
前記明度入力手段２０、脱色剤入力手段３０及び材質入力手段４０は、共通のキーボード等によって構成されており、脱色によって得ようとする化粧材Ｐの指定明度、使用する脱色剤、化粧材Ｐを構成する木材の材質等の情報を１つのキーボードから、前記脱色制御手段７０にそれぞれ入力することができるようになっている。
【００１９】
通常、化粧材Ｐの明度は１０段階で表示されるので、１〜１０の数字で明度を設定（入力）することになるが、さらに微妙な明度に設定したいときは、例えば、５０段階表示等を選択し、１〜５０の数字で目的の明度を入力することもできるようになっている。
【００２０】
前記脱色手段１０には、過酸化水素水、亜塩素酸ナトリウム、第一リン酸ナトリウム、ヒドラジン水和物、次亜硫酸ナトリウム、二塩素化イソシアヌール酸ナトリウム等を主成分とした種々の脱色剤が使用されるが、それぞれの脱色剤毎に脱色能力が異なるため、使用する種々の脱色剤には、予めそれぞれ独立した脱色剤コード番号が設定されており、実際に使用する脱色剤の脱色剤コード番号を前記脱色剤入力手段３０によって入力することができるようになっている。
【００２１】
また、化粧材Ｐを構成する木材の材質によって、その木材成分、色素、密度等が異なり、これらの要因によって同一の脱色剤であってもその脱色性能が変化するため、同一の脱色剤を使用して同一条件で化粧材Ｐを脱色しても、化粧材Ｐの材質が異なれば、脱色後の明度が微妙に違ってくる。従って、化粧材Ｐを構成する木材の材質毎に、予め材質コード番号が設定されており、前記材質入力手段４０によって、脱色しようとする化粧材Ｐの材質を、その材質コード番号によって入力することができるようになっている。
【００２２】
なお、この実施形態では、前記明度入力手段２０、脱色剤入力手段３０及び材質入力手段４０をキーボードによって構成しているが、これに限定されるものではなく、例えば、バーコード入力装置等を使用することもできる。
【００２３】
前記脱色情報記憶手段５０は、ＲＡＭ、フロッピーディスク、ハードディスク等の記憶媒体によって構成されており、こうした記憶媒体には、種々の明度差分（例えば、明度７の化粧材を明度５に脱色する場合は、明度差が２となる。）を基準となる脱色剤を使用して脱色するために必要な脱色剤の基準濃度及び基準噴霧量と、前記脱色剤コード番号及びこの脱色剤コード番号毎に前記基準濃度及び基準噴霧量を補正するための脱色剤補正用データと、前記材質コード番号及びこの材質コード番号毎に前記基準濃度及び基準噴霧量を補正するための材質補正用データとが予め記憶されている。
【００２４】
前記脱色剤補正データは、使用される種々の脱色剤について、前記基準脱色剤に対する脱色能力の差を考慮し、前記基準脱色剤を使用したときと同様の脱色能力が得られるように、前記基準濃度及び基準噴霧量を増減補正するためのデータである。また、前記材質補正用データは、基準となる木材に対して他の木材を使用した場合の基準脱色剤の脱色能力の変化を考慮して、種々の材質に対して基準となる木材を使用したときと同様の脱色能力が得られるように、前記基準濃度及び基準噴霧量を増減補正するためのデータである。
【００２５】
従って、前記明度力手段２０によって入力された指定明度と後述する明度測定手段６０によって測定された脱色前の化粧材Ｐの脱色前明度との明度差、前記脱色剤入力手段３０、材質入力手段４０によってそれぞれ入力された脱色剤コード番号、材質コード番号に基づいて、その明度差、脱色剤コード番号、材質コード番号に対応する脱色剤の基準濃度及び基準噴霧量、脱色剤補正用データ、材質補正用データが随時読み出せるようになっている。
【００２６】
前記明度測定手段６０は、カラーＣＣＤカメラによって構成されており、測定した脱色前の化粧板Ｐの色彩の表色値を、ＲＧＢ表色系の色度（ｒ、ｇ、ｂ）として、前記脱色制御手段７０に出力し、この脱色制御手段７０がＲＧＢ表色系の色度（ｒ、ｇ、ｂ）からＣＩＥＬＡＢ表色系の明度指数Ｌに変換するようになっている。なお、この実施形態では、明度測定手段６０をカラーＣＣＤカメラによって構成しているが、測定したいデータは明度だけであるので、モノクロＣＣＤカメラによって構成することもできる。
【００２７】
前記脱色制御手段７０は、マイクロコンピュータ等によって構成されており、図１に示すように、前記明度入力手段２０からの指定明度が入力される明度入力部７１と、前記脱色剤入力手段３０からの脱色剤コード番号が入力される脱色剤入力部７２と、前記材質入力手段４０からの材質コード番号が入力される材質入力部７３と、前記明度測定手段６０から出力される脱色前の化粧材Ｐの色彩の測定単位領域毎の表色値（ｒ、ｇ、ｂ）をそれぞれＣＩＥＬＡＢ表色系の明度指数Ｌに変換するデータ変換部７４と、前記明度入力部７１に入力された指定明度及び前記データ変換部７４によって測定単位領域毎に求められた脱色前の化粧材Ｐの明度指数Ｌから化粧材Ｐの指定明度と脱色前明度との明度差を前記脱色単位領域毎に算出する明度差算出部７５と、この明度差算出部７５によって脱色単位領域毎に算出された明度差、前記脱色剤入力部７２、材質入力部７３にそれぞれ入力された脱色剤コード番号、材質コード番号に対応する、基準濃度及び基準噴霧量、脱色剤補正用データ、材質補正用データを前記脱色情報記憶手段５０から読み込む濃度・噴霧量読込部７６と、この濃度・噴霧量読込部７６によって読み込まれた前記基準濃度及び基準噴霧量を、前記脱色剤補正用データ及び材質補正用データに基づいて補正する補正部７７と、この補正部７７によって補正された脱色剤の濃度及び噴霧量を前記脱色手段１０に出力する出力部７８とから構成されている。
【００２８】
前記補正部７７は、前記濃度・噴霧量読込部７６によって、脱色単位領域毎に読み込まれた前記基準濃度及び基準噴霧量を、脱色単位領域毎に補正するための複数の作業領域を備えており、この作業領域を用いて以下のような補正処理を行う。
【００２９】
まず、前記濃度・噴霧量読込部７６によって読み込まれた前記基準濃度及び基準噴霧量を、前記脱色剤補正用データによって補正することで、使用する脱色剤の脱色性能を考慮した第１補正濃度及び第１補正噴霧量を算出する。
【００３０】
次に、この第１補正濃度及び第１補正噴霧量を、さらに前記材質補正用データによって補正することで、化粧材Ｐの材質に伴って変化する脱色剤の脱色能力を考慮したした第２補正濃度及び第２補正噴霧量を算出し、これを前記出力部７８に出力する。
【００３１】
以上のように構成された化粧材の脱色装置１について、その脱色処理手順を図２に示すフローチャートを参照しながら説明する。
【００３２】
まず、前記明度入力手段２０、脱色剤入力手段３０及び材質入力手段４０によって、脱色によって得ようとする化粧材Ｐの指定明度、使用する脱色剤の脱色剤コード番号及び脱色しようとする化粧材Ｐの材質コード番号を順次入力する（ステップＳ１、Ｓ２、Ｓ３）と、前記明度測定手段６０によって、脱色前の化粧材Ｐの脱色領域の色彩の表色値（ｒ、ｇ、ｂ）が測定される（ステップＳ４）。
【００３３】
次に、測定された脱色前の化粧材の表色値（ｒ、ｇ、ｂ）が、前記データ変換部７４において明度指数Ｌに変換された後、この明度指数Ｌと前記明度入力手段２０に入力された指定明度との差を前記明度差算出部７５によって算出し（ステップＳ５）、この明度差及び入力された脱色剤コード番号、材質コード番号に対応する基準濃度及び基準噴霧量、脱色剤補正用データ、材質補正用データが、前記脱色情報記憶手段５０から順次読み込まれる（ステップＳ６、Ｓ７、Ｓ８）。
【００３４】
そして、補正部７７では、上述したように、基準濃度及び基準噴霧量の補正が行われ（ステップＳ９）、脱色剤及び化粧材Ｐの材質を考慮した、脱色剤の濃度及び噴霧量が前記出力部７８を介して前記脱色手段１０に出力される（ステップＳ１０）。
【００３５】
前記脱色手段１０は、脱色単位領域毎に送られてくる、補正された脱色剤の濃度及び噴霧量に基づき、化粧材Ｐの脱色単位領域毎に所定の濃度及び噴霧量で脱色剤を噴霧して、化粧材Ｐを脱色する（ステップＳ１１）。
【００３６】
以上のように、この脱色装置１は、同一の濃度及び噴霧量で脱色剤を噴霧することにより、化粧材Ｐの脱色領域全体を一律に脱色するのではなく、化粧材Ｐの脱色領域を複数の脱色単位領域に分割し、それぞれの脱色単位領域毎に、脱色前の化粧材Ｐの明度を考慮して、脱色に使用する脱色剤の濃度及び噴霧量を変化させるようにしたため、例えば、図３（ａ）に示すように、脱色前の化粧材Ｐが部分的に異なる明度を有している場合でも、この脱色装置１を用いて脱色すると、同図（ｂ）に示すように、化粧材Ｐ全体が同一の明度に脱色される。
【００３７】
また、この脱色装置１では、使用する脱色剤や脱色しようとする化粧材Ｐの材質を考慮した補正も行っているため、脱色能力の異なる脱色剤を使用した場合でも、脱色された化粧材Ｐの明度が微妙に異なるといったこともなく、異なる材質の化粧材Ｐを脱色した場合でも、同一明度に脱色することができる。
【００３８】
図３においては、１枚の化粧材Ｐにおいて、部分的に明度が異なる場合について説明したが、例えば、複数の化粧材を同一明度に脱色する場合であって、脱色前のそれぞれの化粧材は部分的に明度が異なることはないが、化粧材相互間で全体の明度が異なる場合でも、この脱色装置１を用いて脱色を行えば、複数の化粧材を全て同一明度に脱色することができる。
【００３９】
このように、それぞれの化粧材自体の明度が全体として統一されている場合は、上述したように、化粧材の脱色領域を複数の脱色単位領域に分割して、それぞれの脱色単位領域毎に補正する必要はないので、脱色領域の全体を同一の濃度及び噴霧量で脱色剤を噴霧することのできる脱色手段を使用すればよく、脱色前の化粧材の明度を測定する明度測定手段も脱色領域全体の明度を平均的に測定できる分光光度計等の精度の低いものを使用すればよい。また、脱色制御手段も脱色領域全体として１つの濃度及び噴霧量を取り扱えばよいので、基準濃度及び基準噴霧量を読み込む読込領域や基準濃度及び基準噴霧量を補正するために使用する作業領域が小さくてもよいことはいうまでもない。
【００４０】
また、この実施形態では、脱色前の化粧材Ｐの明度を測定するためにＲＧＢ表色系の色度（ｒ、ｇ、ｂ）を測定しているが、必ずしもこういった表色値を測定する必要はなく、ＣＩＥＬＡＢ表色系の明度指数Ｌを直接測定することも可能である。
【００４１】
また、この実施形態では、実際の脱色に使用する脱色剤の濃度及び噴霧量の双方を調整するようにしているが、濃度、噴霧量のいずれか一方が固定されている場合は、他方のみを調整すればよいので、基準濃度または基準噴霧量の読込みや補正もその他方のみについて行えばよい。また、この実施形態では、脱色剤の濃度及び噴霧量だけを調整しているが、例えば、２種類以上の脱色剤を配合し、その配合量を調整することも可能である。
【００４２】
【発明の効果】
請求項１にかかる発明の脱色装置は、明度入力手段に入力された指定明度と明度測定手段によって測定された脱色前明度とから、両者の明度差を算出し、その算出された明度差分を脱色するために必要な脱色剤の濃度、配合または噴霧量を脱色情報記憶手段から読み出すと共に、脱色剤入力手段に入力された脱色剤に対応した脱色剤補正データを脱色情報記憶手段から読み出し、この脱色剤補正データに基づいて、脱色情報記憶手段から読み出した脱色剤の濃度、配合または噴霧量を補正し、その補正された濃度、配合または噴霧量に基づいて、化粧材に脱色剤を噴霧するようにしたため、脱色前の複数の化粧材の明度が相互に異なる場合であっても、全ての化粧材を同一の明度に統一して脱色することができると共に、脱色剤によって微妙に異なる脱色性能を考慮した脱色が可能となり、使用する脱色剤に拘わらず、常に化粧材を目的の明度に脱色することができる。
【００４３】
請求項２にかかる発明の脱色装置は、明度入力手段に入力された指定明度と明度測定手段によって測定された脱色前明度とから、両者の明度差を算出し、その算出された明度差分を脱色するために必要な脱色剤の濃度、配合または噴霧量を脱色情報記憶手段から読み出すと共に、材質入力手段に入力された化粧材の材質に対応した材質補正データを脱色情報記憶手段から読み出し、この材質補正データに基づいて、脱色情報記憶手段から読み出した脱色剤の濃度、配合または噴霧量を補正し、その補正された濃度、配合または噴霧量に基づいて、化粧材に脱色剤を噴霧するようにしたため、脱色前の複数の化粧材の明度が相互に異なる場合であっても、全ての化粧材を同一の明度に統一して脱色することができると共に、例えば、化粧材を構成する木材成分、色素、密度等によって異なる脱色剤の脱色能力を考慮した脱色を行うことができ、さらに、精度の良い脱色を行うことができる。
【００４４】
請求項３にかかる発明の脱色装置は、明度入力手段に入力された指定明度と明度測定手段によって測定された測定単位毎の脱色前明度とから、両者の明度差を脱色単位領域毎にそれぞれ算出し、その算出された明度差分を脱色するために必要な脱色剤の濃度、配合または噴霧量を、脱色情報記憶手段からそれぞれ読み出すと共に、脱色剤入力手段に入力された脱色剤に対応した脱色剤補正データを脱色情報記憶手段から読み出し、この脱色剤補正データに基づいて、脱色情報記憶手段から読み出した脱色剤の濃度、配合または噴霧量を補正し、その補正された濃度、配合または噴霧量に基づいて、化粧材に脱色剤を噴霧するようにしたため、脱色前の明度が部分的に異なる化粧材についても、全体を同一の明度に統一して脱色することができると共に、脱色剤によって微妙に異なる脱色性能を考慮した脱色が可能となり、使用する脱色剤に拘わらず、常に化粧材を目的の明度に脱色することができる。
【００４５】
請求項４にかかる発明の脱色装置は、明度入力手段に入力された指定明度と明度測定手段によって測定された測定単位毎の脱色前明度とから、両者の明度差を脱色単位領域毎にそれぞれ算出し、その算出された明度差分を脱色するために必要な脱色剤の濃度、配合または噴霧量を、脱色情報記憶手段からそれぞれ読み出すと共に、材質入力手段に入力された化粧材の材質に対応した材質補正データを脱色情報記憶手段から読み出し、この材質補正データに基づいて、脱色情報記憶手段から読み出した脱色剤の濃度、配合または噴霧量を補正し、その補正された濃度、配合または噴霧量に基づいて、化粧材に脱色剤を噴霧するようにしたため、脱色前の複数の化粧材の明度が相互に異なる場合であっても、全ての化粧材を同一の明度に統一して脱色することができると共に、例えば、化粧材を構成する木材成分、色素、密度等によって異なる脱色剤の脱色能力を考慮した脱色を行うことができ、さらに、精度の良い脱色を行うことができる。
【図面の簡単な説明】
【図１】この発明にかかる一実施形態を示す概略構成図である。
【図２】同上の脱色装置による脱色処理手順を示すフローチャートである。
【図３】（ａ）は、脱色前の化粧材を示す平面図、（ｂ）は脱色後の化粧材を示す平面図である。
【符号の説明】
１  脱色装置
１０  脱色手段
２０  明度入力手段
３０  脱色剤入力手段
４０  材質入力手段
５０  脱色情報記憶手段
６０  明度測定手段
７０  脱色制御手段
Ｐ  化粧材
【図１】
0003889480.tif 000002
【図２】
0003889480.tif 000003
【図３】
0003889480.tif 000004